【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
インターネット上のリソースに関する情報を含むリソース情報を多重化した放送波を受信する放送受信機と、前記放送受信機と接続された通信端末とを具備し、前記通信端末は、前記放送受信機で受信した放送波に含まれるリソース情報に基づいて通信網経由でインターネット上のリソースを利用する通信システムにおいて、
前記放送受信機は、受信した放送波に含まれるリソース情報を抽出する抽出手段と、前記受信手段で受信したリソース情報を前記通信端末に転送する転送手段とを具備し、
前記通信端末は、前記転送手段で転送されたリソース情報を受信する受信手段と、前記受信手段で受信したリソース情報を保持する保持手段と、ユーザからのリソース情報の利用の要求指示に基づき前記保持手段に保持されているデータが保持されているリソース情報に基づいて通信網経由でインターネット上のリソースを利用するリソース利用手段とを具備する
ことを特徴とする通信システム。
【請求項２】
前記放送受信機は、前記抽出手段で抽出したリソース情報を蓄積するリソース情報蓄積手段を更に具備し、
前記転送手段は、前記通信端末からのリソース情報要求メッセージの受信に応答して前記リソース情報蓄積手段に蓄積されているリソース情報を前記通信端末に転送する
ことを特徴とする請求項１記載の通信システム。
【請求項３】
インターネット上のリソースに関する情報を含むリソース情報を多重化した放送波を受信する放送受信機において、前記放送波を受信するチューナと、前記放送波に含まれる音声や映像を出力する出力部と、通信端末との間で各種の信号を授受する外部インタフェースと、制御部と、メモリとを具備し、
前記制御部は、前記放送波に多重されたリソース情報を抽出する抽出手段と、前記抽出手段で抽出されたリソース情報を前記外部インタフェース経由で前記通信端末に送出する送信制御手段とを具備する
ことを特徴とする放送受信機。
【請求項４】
前記制御部は、前記抽出手段で抽出したリソース情報を前記メモリに蓄積する蓄積制御手段を更に具備し、
前記送信制御手段は、前記通信端末からのリソース情報要求メッセージの受信に応答して前記メモリに蓄積されたリソース情報を読み取って前記外部インタフェース経由で前記通信端末に送出する制御を実行する
ことを特徴とする請求項３記載の放送受信機。
【請求項５】
前記制御部は、前記放送波の音声信号または映像信号からインターネット上のリソースに関する情報をリソース情報として認識および抽出して前記メモリに蓄積する手段を具備する
ことを特徴とする請求項３記載の放送受信機。
【請求項６】
インターネット上のリソースに関する情報を含むリソース情報を多重化した放送波を受信する放送受信機で抽出したリソース情報に基づいて通信網経由でインターネット上のリソース情報を利用する通信端末において、
前記通信網との間で音声・映像・データの通信処理を実行する通信部と、音声や映像を出力する出力部と、ユーザインタフェースと、前記放送受信機との間で各種の信号を授受する外部通信インタフェースと、制御部と、メモリとを備え、
前記制御部は、前記放送受信機から前記リソース情報を受信するリソース情報受信制御手段と、前記リソース情報受信制御手段で制御されて受信したリソース情報を前記メモリに記憶する記憶制御手段と、前記ユーザインタフェースを介してユーザから要求されたリソース要求に対応して前記メモリに保持されたリソース情報に基づいて前記通信部を介してインターネット上のリソースを利用するリソース利用手段とを具備する
ことを特徴とする通信端末。
【請求項７】
前記制御部は、前記外部インタフェースを介して前記放送受信機にリソース要求メッセージを送出する手段を具備する
ことを特徴とする請求項６記載の通信端末。
【手続補正２】
【補正対象書類名】明細書
【補正対象項目名】発明の名称
【補正方法】変更
【補正の内容】
【発明の名称】通信システム並びにそのシステムに適用される放送受信機、通信端末
【手続補正３】
【補正対象書類名】明細書
【補正対象項目名】０００１
【補正方法】変更
【補正の内容】
【０００１】
【発明の属する技術分野】
本発明は、通信システム並びにそのシステムに適用される放送受信機、通信端末に関し、特に、放送波により報知されるインターネット上の様々なリソースを携帯電話機により簡便に利用可能にする通信システム並びにそのシステムに適用される放送受信機、通信端末に関する。  
【手続補正４】
【補正対象書類名】明細書
【補正対象項目名】００１７
【補正方法】変更
【補正の内容】
【００１７】
そこで、本発明は、放送波によって報知されるインターネット上の様々なリソースを簡便に利用することが可能な通信システム並びにそのシステムに適用される放送受信機、端末装置の提供を目的とする。  
【手続補正５】
【補正対象書類名】明細書
【補正対象項目名】００１８
【補正方法】変更
【補正の内容】
【００１８】
【課題を解決するための手段】
上記目的を達成するために、請求項１の発明は、インターネット上のリソースに関する情報を含むリソース情報を多重化した放送波を受信する放送受信機と、放送受信機と接続された通信端末とを具備し、通信端末は、放送受信機で受信した放送波に含まれるリソース情報に基づいて通信網経由でインターネット上のリソースを利用する通信システムにおいて、放送受信機は、受信した放送波に含まれるリソース情報を抽出する抽出手段と、受信手段で受信したリソース情報を通信端末に転送する転送手段とを具備し、通信端末は、転送手段で転送されたリソース情報を受信する受信手段と、受信手段で受信したリソース情報を保持する保持手段と、ユーザからのリソース情報の利用の要求指示に基づき保持手段に保持されているデータが保持されているリソース情報に基づいて通信網経由でインターネット上のリソースを利用するリソース利用手段とを具備することを特徴とする。  
【手続補正６】
【補正対象書類名】明細書
【補正対象項目名】００１９
【補正方法】変更
【補正の内容】
【００１９】
また、請求項２の発明は、請求項１の発明において、放送受信機は、抽出手段で抽出したリソース情報を蓄積するリソース情報蓄積手段を更に具備し、転送手段は、通信端末からのリソース情報要求メッセージの受信に応答してリソース情報蓄積手段に蓄積されているリソース情報を通信端末に転送することを特徴とする。  
【手続補正７】
【補正対象書類名】明細書
【補正対象項目名】００２０
【補正方法】変更
【補正の内容】
【００２０】
また、請求項３の発明は、インターネット上のリソースに関する情報を含むリソース情報を多重化した放送波を受信する放送受信機において、放送波を受信するチューナと、放送波に含まれる音声や映像を出力する出力部と、通信端末との間で各種の信号を授受する外部インタフェースと、制御部と、メモリとを具備し、制御部は、放送波に多重されたリソース情報を抽出する抽出手段と、抽出手段で抽出されたリソース情報を外部インタフェース経由で通信端末に送出する送信制御手段とを具備することを特徴とする。  
【手続補正８】
【補正対象書類名】明細書
【補正対象項目名】００２１
【補正方法】変更
【補正の内容】
【００２１】
また、請求項４の発明は、請求項３の発明において、制御部は、抽出手段で抽出したリソース情報をメモリに蓄積する蓄積制御手段を更に具備し、送信制御手段は、通信端末からのリソース情報要求メッセージの受信に応答してメモリに蓄積されたリソース情報を読み取って外部インタフェース経由で通信端末に送出する制御を実行することを特徴とする。  
【手続補正９】
【補正対象書類名】明細書
【補正対象項目名】００２２
【補正方法】変更
【補正の内容】
【００２２】
また、請求項５の発明は、請求項３の発明において、制御部は、放送波の音声信号または映像信号からインターネット上のリソースに関する情報をリソース情報として認識および抽出してメモリに蓄積する手段を具備することを特徴とする。  
【手続補正１０】
【補正対象書類名】明細書
【補正対象項目名】００２３
【補正方法】変更
【補正の内容】
【００２３】
また、請求項６の発明は、インターネット上のリソースに関する情報を含むリソース情報を多重化した放送波を受信する放送受信機で抽出したリソース情報に基づいて通信網経由でインターネット上のリソース情報を利用する通信端末において、通信網との間で音声・映像・データの通信処理を実行する通信部と、音声や映像を出力する出力部と、ユーザインタフェースと、放送受信機との間で各種の信号を授受する外部通信インタフェースと、制御部と、メモリとを備え、制御部は、放送受信機からリソース情報を受信するリソース情報受信制御手段と、リソース情報受信制御手段で制御されて受信したリソース情報をメモリに記憶する記憶制御手段と、ユーザインタフェースを介してユーザから要求されたリソース要求に対応してメモリに保持されたリソース情報に基づいて通信部を介してインターネット上のリソースを利用するリソース利用手段とを具備することを特徴とする。  
【手続補正１１】
【補正対象書類名】明細書
【補正対象項目名】００２４
【補正方法】変更
【補正の内容】
【００２４】
また、請求項７の発明は、請求項６の発明において、制御部は、外部インタフェースを介して放送受信機にリソース要求メッセージを送出する手段を具備することを特徴とする。  
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】０１２５
【補正方法】変更
【補正の内容】
【０１２５】
１）ユーザは、ＩＴデータを記憶したり、紙等の記憶媒体に転記した後手動により携帯電話機等の通信端末に入力する手間を省くことが可能である。  その為、ユーザは、ＩＴデータを簡便かつ正確に取り扱うことができ、ＩＴデータをタイムリーに活用することが可能である。  
【手続補正１６】
【補正対象書類名】明細書
【補正対象項目名】００３２
【補正方法】変更
【補正の内容】
【００３２】
図１は、本発明に係る通信システムのシステム構成図であり、通信端末として携帯電話機を使用した場合の例を示した図である。 
【手続補正１７】
【補正対象書類名】明細書
【補正対象項目名】０１２３
【補正方法】変更
【補正の内容】
【０１２３】
このように、図６、図７に示した状態遷移と処理は、本発明の主旨を逸脱しない範囲で、細分化したり、あるいは併合を行っても本発明が適用可能であることは自明である。  
なお、本実施例においては、携帯電話機を使用した例を示して説明したが、これ以外に、インターネット接続機能を有するモバイルＰＣや、ＰＤＡ等の通信端末でもよい。